(57)【要約】【課題】携帯電話に適用されたＵＩＣＣによって付加的なサービスを提供する方法を提供する。まず、第１のサービス・プロバイダから提供されたＵＩＣＣに開口を形成する。【解決手段】このＵＩＣＣは、第１のＩＣ（２４）と、第１のＩＣ（２４）に接続される第１のコンタクトパッド（２５）と、を備えることができる。開口は、穿孔機（３１）によって形成することができる。その後、第２のサービス・プロバイダによって積層集積回路カードがＵＩＣＣに取り付けられて、デュアルＵＩＣＣが形成される。このような積層集積回路カードは、第２のＩＣ（２２）と、第２のＩＣに接続される第２のコンタクトパッド（４１）と、を備えることができ、第２のＩＣは開口内に配置される。第２のＩＣ（２２）、または第２のＩＣを保護するシェルのサイズは、開口と完全に合致するものであって、高い信頼性が確保できることが好ましい。こうして、携帯電話の無線送受信によりデュアルＵＩＣＣに基づいて付加的なサービスが提供できるようになる。【選択図】図１
2009522685.tif 000002
【特許請求の範囲】
【請求項１】
ある装置に適用された集積回路カード（ＩＣＣ）で付加的なサービスを提供する方法であって、
第１のＩＣと、インタフェースとを備えた前記ＩＣＣに開口を形成し、
第２のＩＣを有する積層集積回路カードを前記ＩＣＣに提供してデュアルＩＣＣを形成し、前記第２のＩＣは前記開口内に配置され、前記インタフェースを介して前記ＩＣＣに接続され、
前記デュアルＩＣＣに基づいて前記装置により付加的なサービスを提供すること、
を特徴とする方法。
【請求項２】
前記装置が携帯電話を備えていること、を特徴とする請求項１に記載の方法。
【請求項３】
前記付加的なサービスが無線伝送により提供されること、を特徴とする請求項１に記載の方法。
【請求項４】
前記第２のＩＣが二重電話番号機能を可能にすること、を特徴とする請求項１に記載の方法。
【請求項５】
前記ＩＣＣがＳＩＭカード、ＵＳＩＭカード、ＲＵＩＭカード、またはＰＩＭカードを備えること、を特徴とする請求項１に記載の方法。
【請求項６】
前記付加的なサービスがセキュリティ・サービスを含むこと、を特徴とする請求項１に記載の方法。
【請求項７】
前記付加的なサービスが識別または認証を含むこと、を特徴とする請求項１に記載の方法。
【請求項８】
前記第２のＩＣがメモリを備えること、を特徴とする請求項１に記載の方法。
【請求項９】
前記開口が穿孔機によって形成されること、を特徴とする請求項１に記載の方法。
【請求項１０】
前記付加的なサービスが無線経由（ＯＴＡ）または有線経由による伝送によって提供されること、を特徴とする請求項１に記載の方法。
【請求項１１】
前記付加的なサービスが新たなソフトウエアまたは暗号鍵のダウンロードを含むこと、を特徴とする請求項１０に記載の方法。
【請求項１２】
ＩＣＣ（集積回路カード）によって付加的なサービスを提供する方法であって、
第１のＩＣと、インタフェースとを備えた前記ＩＣＣに開口を形成し、
第２のＩＣを有する積層集積回路カードを前記ＩＣＣに提供してデュアルＩＣＣを形成し、前記第２のＩＣは前記開口内に配置され、前記第２のＩＣにアンテナが連結され、
前記デュアルＩＣＣに基づいて付加的なサービスを提供すること、
を特徴とする方法。
【請求項１３】
前記ＩＣＣがＡＴＭカード、クレジットカード、またはキャッシュカードを備えること、を特徴とする請求項１０に記載の方法。
【請求項１４】
前記アンテナを介した非接触の支払いを行うために、ＡＴＭまたはＰＯＳ（販売時点管理）端末を使用して、ある金額を口座から指定すること、を特徴とする請求項１０に記載の方法。
【請求項１５】
前記第１のＩＣが前記口座の情報を保持すること、を特徴とする請求項１４に記載の方法。
【請求項１６】
前記デュアルＩＣＣが無線周波数識別（ＲＦＩＤ）または認証に適用されること、を特徴とする請求項１２に記載の方法。
【請求項１７】
前記デュアルＩＣＣが指紋センサに連結されていること、を特徴とする請求項１２に記載の方法。
【請求項１８】
開口が穿孔機によって形成されること、を特徴とする請求項１２に記載の方法。
【請求項１９】
ＩＣＣ（集積回路カード）によって付加的なサービスを提供する方法であって、
第１のサービスを提供するために第１のサービス・プロバイダによって前記ＩＣＣが発行され、前記ＩＣＣは、第１のＩＣとインタフェースとを備えており、
第２のサービスを提供するために第２のサービス・プロバイダによって積層集積回路カードが発行され、
前記ＩＣＣに前記積層集積回路カードを提供し、前記積層集積回路カードは、前記ＩＣＣに前記インタフェースを介して接続される第２のＩＣを備えていること、
を特徴とする方法。
【請求項２０】
前記第２のサービスが無線伝送により提供されること、を特徴とする請求項１７に記載の方法。
【請求項２１】
前記第２のＩＣが二重電話番号機能を可能にすること、を特徴とする請求項１９に記載の方法。
【請求項２２】
前記ＩＣＣがＳＩＭカード、ＵＳＩＭカード、ＲＵＩＭカード、またはＰＩＭカードを備え、前記第１のサービス・プロバイダが携帯電話サービス・プロバイダを含むこと、を特徴とする請求項１９に記載の方法。
【請求項２３】
前記第２のサービスがセキュリティ・サービス、識別、または認証を含むこと、を特徴とする請求項１９に記載の方法。
【請求項２４】
前記第２のＩＣがメモリを備えること、を特徴とする請求項１９に記載の方法。
【請求項２５】
前記ＩＣＣがＡＴＭカード、クレジットカード、またはキャッシュカードを備え、前記第１のサービス・プロバイダが銀行であること、を特徴とする請求項１９に記載の方法。
【請求項２６】
無線周波数識別（ＲＦＩＤ）または認証のために前記積層集積回路カードに接続されたアンテナをさらに備えること、を特徴とする請求項１９に記載の方法。
【請求項２７】
前記デュアルＩＣＣに接続された指紋センサをさらに備えること、を特徴とする請求項１９に記載の方法。
【発明の詳細な説明】
【技術分野】
【０００１】
本発明は、汎用集積回路カード（ＵＩＣＣ）に基づいてサービスを提供する方法、特に、従来のＵＩＣＣをデュアルＵＩＣＣに加工することによって付加的なサービスを提供する方法に関する。この出願は、２００５年２月４日に出願された米国出願第１１／０５１，８５７号の一部継続出願であり、参照によりその全てを本開示に援用する。
【背景技術】
【０００２】
スマートカードは２つの区分、すなわち無線通信における加入者識別モジュール（ＳＩＭ）用と、金融カード、ＡＴＭカード、健康保険カードなどの認証システムに広く適用されている。ＳＩＭカードは、移動通信機器で使用される。ＧＳＭ方式やＣＤＭＡ方式などの無線ネットワークシステムを利用する人は、通信会社からＳＩＭカードを提供される。ＳＩＭカードには、ユーザの電話番号、電話帳、発信制限、暗証番号（ＰＩＮ）、個人ロック解除キー（ＰＵＫ）などのユーザ情報が記憶される。さらに、ＧＳＭ通信方式では、通信のために適法なＳＩＭカードを利用することにより、ユーザが情報を送信するためにＧＳＭ通信ネットワークに入ることを許可される。
【０００３】
スマートカード（スマートカード・トークンとしても知られる）は、コンピュータチップを埋め込んだ標準的なクレジットカードサイズのプラスチック製カード、または携帯機器内の、あるいはパーソナル・コンピュータのＵＳＢポートに直接プラグインするための差込み口サイズのＳＩＭカードとすることができる。各ＳＩＭのチップにより、一枚のカードがクレジットカードとして機能したり、電子マネーを処理したりするなど多くのことを実行できるようにプログラムされる。古いアプリケーションを削除し、その後で新しいアプリケーションをカードにダウンロードすることができる。チップ自体は、改ざん防止機能を持つように設計され、カードに記憶された情報が、盗難、偽造、または複製されないようにすることができる。
【０００４】
ＧＳＭ用のＳＩＭ、ＷＣＤＭＡ用のＵＳＩＭ、ＣＤＭＡ２０００用のＲＵＩＭ、ＰＨＳネットワーク用のＰＩＭなど、携帯電話業界でスマートカードが広く使用されるようになるにつれて、セキュリティ・サービスを提供するために携帯電話内のスマートカード（ＳＩＭ／ＵＳＩＭ／ＲＵＩＭ／ＰＩＭ、以下、汎用集積回路カード（ＵＩＣＣ）という）を利用した様々なアプリケーションが開発されてきた。携帯電話会社は、登録者に発行するスマートカードに記憶されているキーを認証することによって、携帯電話サービスの使用のセキュリティを確保している。携帯電話会社は、銀行や他のサービス・プロバイダから提供されたキーをＳＩＭカードに記憶させることによって、モバイルバンキングや携帯電話による株取引サービスといったプレミアムサービスも提供している。このようなキーは、ＳＩＭツールキット（ＳＴＭ）（これもまたＳＩＭカード内にある）によって開発されたアプリケーション・インタフェースにより操作される。ＷＡＰ（ワイヤレス・アプリケーション・プロトコル）電話が市販されるようになった際には、ＳＩＭカード販売者によってＷＩＭ（無線識別モジュール）も開発され、証明書およびＰＫＩアルゴリズムをＳＩＭ（ＳＷＩＭカード）、または携帯電話の別のカードスロットに挿入できる別の独立型ＷＩＭカードに記憶することによって、ＷＡＰセキュリティを確保した。
【０００５】
携帯電話のキーパッドおよび表示画面によって、挿入されたスマートカードのユーザ・インタフェースがより大きくなり、サービス・プロバイダにリモートアクセスできるというモバイル性によって、サービスモビリティの目標がさらに達成される。サービスモビリティを可能にするために、銀行、クレジットカード発行会社、交通カード発行者、証明書発行者、および株式仲介人などのサービス・プロバイダは、携帯電話会社と進んで協力して、自分たちの業務に該当するサービスを提供すべく、改良されたＳＩＭカードを発行している。しかしながら、ＳＩＭの機能および動作の提供や管理は、携帯電話会社に主導権があるため、決められた人しか参加が許可されない閉鎖的なシステムが形成されている。さらに、サービス・プロバイダと携帯電話会社とは、相互不信の関係にあり、両者がセキュリティや支払方法の管理に関する同様の基本方針を持っている。これが、携帯電話セキュリティ・サービスの開発にとって大きな障害となる。
【０００６】
移動通信の世界では、スマートカードに基づいた別の新たな需要が「複数ＳＩＭ所有」と呼ばれていて、これは、一人の携帯電話ユーザが異なる携帯電話会社から発行された２枚以上のＳＩＭカードを保持するという潮流を示すものである。このような潮流が起こったのは、以下の理由による。
・個人用と業務用で別々のアカウントを持つことができる。
・旅行の際に異なる国の携帯電話会社の別々のＳＩＭを持つことができ、ローミング料金を節約することができる。
・デイタイム通話とオフピーク通話など、異なるサービスプラン用の別々のＳＩＭを保持することができる。
・異なるプロモーション料金パッケージ用の別々のＳＩＭを保持することができ、コストを節約することができる。
【０００７】
上記の問題を解決するために、サービス・プロバイダまたは別の携帯電話会社が、それぞれの秘密鍵を記憶した各スマートカードまたはＳＩＭを発行できるようにするために携帯電話に追加のチップスロットを設けることによって、デュアルチップまたはデュアルスロット機能を備えた特別な携帯電話が導入されてきた。しかしながら、このような特別な電話は一般的に高価であり、ユーザからはあまり受け入れられていないため、サービス・プロバイダが利用できるサボ・マーケット（subo-market）が形成されている（米国特許第６，６２３，３０５号、「デュアルＳＩＭカードコネクタ」を参照）。
【０００８】
【特許文献１】米国特許第６，６２３，３０５号
【発明の開示】
【発明が解決しようとする課題】
【０００９】
上述したように、携帯電話サービス、特に取引サービスの上記の障害を克服するため、かつ異なるスマートカード発行会社から単一のユーザに向けたビジネス上の関心を満たすために、発明者はデュアルＵＩＣＣシステムによるビジネスモデルを開示する。
【課題を解決するための手段】
【００１０】
上述した課題に鑑み、本発明は、携帯電話会社または銀行などのサービス・プロバイダから発行される従来のＵＩＣＣに基づいて付加価値のあるサービスを提供するためのビジネスモデルを開示する。この方法は、通常は個人の電話帳などの重要な情報をすでに記憶している固有のＵＩＣＣを交換せずに、第１のサービス・プロバイダから発行された固有のＵＩＣＣをそのままの状態で保ちつつ、既存のインフラに基づいて簡便な方法で他のサービス・プロバイダの付加サービスを提供するものである。ユーザは、他のサービス・プロバイダまたは同じサービス・プロバイダが固有のＵＩＣＣをデュアルＵＩＣＣに加工できるようにすればよい。このような固有のＵＩＣＣの加工にはほとんど時間がかからず、元の情報は維持され、固有のＵＩＣＣの機能もそのまま残る。
【００１１】
本発明のある側面によれば、携帯電話のＵＩＣＣに付加的なサービスを組み込むための方法が提供される。まず、第１のサービス・プロバイダから発行された固有のＵＩＣＣのプラスチック部分に開口を形成する。このＵＩＣＣは、第１のＩＣと、第１のＩＣに接続される第１のコンタクトパッドと、を備えることができる。集積回路チップカードのプラスチック部分は、集積回路チップ本体に関連する機能を有していないため、開口を形成することには問題がなく、固有の集積回路チップカードの機能に何ら影響を与えない。この開口は、穿孔機によって形成することができる。開口の目的は、積層集積回路チップカードのチップを収容するためのくぼみを形成し、固有のＵＩＣＣと正確に接続されるよう積層集積回路チップを配置して、積層回路カードを固有のＵＩＣＣに固定することである。その後、積層集積回路カードは、第２のサービス・プロバイダによってＵＩＣＣに取り付けられて、デュアルＵＩＣＣが形成される。このような積層集積回路カードは、第２のＩＣと、第２のＩＣに接続される第２のコンタクトパッドと、外界（携帯電話やスマートカード・リーダ）との通信を提供するための第３のコンタクトパッドと、を備えることができ、第２のＩＣは、前記開口に配置される。第２のＩＣ、または第２のＩＣを保護するシェルのサイズは開口と完全に合致し、これらの結合の信頼性を高めるものであることが好ましい。こうして、携帯電話の無線送受信により、デュアルＵＩＣＣに基づいて付加的なサービスが提供できるようになる。
【００１２】
本発明の別の側面によれば、ＵＩＣＣによって付加的なサービスを提供する方法が提供される。まず、第１のサービス・プロバイダから提供されたＵＩＣＣに開口が形成される。一般に、ＵＩＣＣは、第１のＩＣと、第１のＩＣに接続される第１のコンタクトパッドと、を備える。次に、第２のサービス・プロバイダによって積層集積回路カードがＵＩＣＣに取り付けられ、デュアルＵＩＣＣが形成される。積層集積回路カードは、第２のＩＣと、第２のＩＣに接続される第２のコンタクトパッドおよびアンテナと、外界（携帯電話やスマートカード・リーダ）との通信を提供する第３のコンタクトパッドと、を備えることができる。第２のＩＣは、デュアルＵＩＣＣの厚さを単一カードと同じに保つよう、開口に配置される。こうして、デュアルＵＩＣＣに基づいて付加的なサービスが提供できるようになる。
【発明を実施するための最良の形態】
【００１３】
本発明を、好ましい実施形態および添付の図面により説明する。説明する全ての実施形態は、限定的ではなく単なる例示として提供するに過ぎないことを理解されたい。本発明の好ましい実施形態に関して説明するが、本発明はそれらの実施形態に制約されるものではない。本発明の範囲は、請求項によって定義されるものであり、当業者にとって本発明の精神の範囲内の変更は可能であろう。
【００１４】
好ましい実施形態によるＵＩＣＣによって付加サービスを提供する方法のフローチャートを示した図１を参照されたい。まずステップ１０１に示すように、携帯電話サービス・プロバイダなどの第１のサービス・プロバイダから、ユーザにＵＩＣＣが提供される。この実施形態では、ＵＩＣＣは、一般に携帯電話とともに使用されるＳＩＭカードとする。公知なように、携帯電話は、移動通信またはデータ送信のために使用され、ＳＩＭカードは識別のために携帯電話に挿入される。通常、ＳＩＭカードは、第１のＩＣと、第１のＩＣに接続された複数の第１のコンタクトパッドとを有する基板からなる。第１のＩＣは、第１のコンタクトパッドにより携帯電話に電気的に接続することができる。また、ＵＩＣＣは、ＵＳＩＭカード、ＲＵＩＭカード、またはＰＩＭカードをさらに備えることができる。上記のＵＩＣＣの種類は、限定的ではなく例示のために列挙したに過ぎないことに留意されたい。他の可能なＵＳＩＭの種類を、本発明の実施形態に応用することもできよう。
【００１５】
いずれにせよ、従来のＳＩＭカードの機能は限定されているため、多種多様な付加サービスを提供することはできない。このような機能の限界を打破するために、本発明はさらに、元のＵＩＣＣに対する追加のＩＣ、すなわち第２のＩＣをユーザに提供するものである。ＵＩＣＣのサイズ、特に厚さは、通常、携帯電話のスロットにほぼ完全に合致するものであるため、付属の第２のＩＣは出来る限り薄く作らなければならない。好ましい実施形態では、第２のＩＣは、積層集積回路カード上、または第２のＩＣに接続される複数の第２のコンタクトパッドを有する基板上に設けられる。ステップ１０２に示すように、第２のサービス・プロバイダは、この積層集積回路カードをＵＩＣＣに取り付けて、その機能を向上させる。このようにして、従来のＵＩＣＣをデュアルＵＩＣＣに変換する。デュアルＵＩＣＣ３３の加工および構造の好ましい実施形態を示した図３および図４を参照されたい。
【００１６】
図示した実施形態では、積層集積回路カード３０上の第２のコンタクトパッド４１は、第１のコンタクトパッド２５を完全にまたは部分的に覆うものとすることができ、第１のＩＣ２４および第２のＩＣ２２は、いずれも携帯電話に電気的に接続されることができる。その結果、携帯電話は、第１のＩＣと第２のＩＣの両方を利用することができる。本発明のデュアルＵＩＣＣ３３は、個別の機能または共通の機能のいずれかに関与する、２つまたはそれ以上の操作可能なＩＣを内部に有するＵＩＣＣを表している。提供されたこれらの機能は、互いに協働できることが好ましい。
【００１７】
また、デュアルＵＩＣＣ３３の厚さを効果的に制御するために、穿孔機３１を利用して、第２のＩＣ３４を配置するための開口２２を基板２１に形成することができる。第２のＩＣ３４は一般に、積層集積回路カード３０の最も厚い部分であるため、この方法によって厚さを大幅に減少させることができるであろう。デュアルＵＩＣＣ３３の厚さは、従来のＵＩＣＣの厚さとほぼ同じであることが好ましい。図４では、第２のＩＣは、損傷や外部からの干渉を避けるために、通常はプラスチックなどから作ることができるパッケージ３２によって覆われている。好ましい実施形態では、開口２２のサイズは、より高い信頼性が得られるようにパッケージ３２の外形に適合していることが好ましい。
【００１８】
デュアルＵＩＣＣ３３の詳細な構造および材料については、本出願と同じ出願人によって出願された係属中の米国特許出願において十分に説明されており、それらの出願は参照により本明細書に援用される。２００５年２月４日に出願された米国出願第１１／０５１，８５７号、および２００５年１０月１１日に出願された台湾出願第０９４２１７５２９号を参照されたい。
【００１９】
ステップ１０３に示されるように、デュアルＵＩＣＣ３３が構成されると、第２のＩＣ３４に基づいて携帯電話により付加サービスが提供される。さらに詳細には、付加サービスは、携帯電話の無線送受信により第２のＩＣ３４に基づいて提供される。例えば、第２のＩＣ３４は、モバイルバンキングや株取引のサービス、あるいは別の携帯電話サービスの申し込みをも提供することができる。ユーザは、これらの付加的な携帯電話サービスを実行するために第２のＩＣ３４にソフトウエアまたはデータを適用することができる。さらに、セキュリティ能力および機能を高めるために、第２のＩＣ３４は、追加の識別または認証機能を持つこともできるであろう。このような機能は、モバイルバンキングや株式仲介サービスの特性上、大変重要である。係属中の米国特許出願の詳細な説明を参照されたい。
【００２０】
ただし、付加サービスは上述した例に限定されるものではない。デュアルＵＩＣＣ３３は、携帯電話で多種多様な付加的な機能、特に、リモート・サーバと通信して無線経由（ＯＴＡ）サービスによる送信を必要とする機能を処理できるようにするものである。言い換えると、本発明は、ＯＴＡ送信のために、携帯電話とともにデュアルＵＩＣＣ３３によって提供されるあらゆる可能な付加的な機能を可能にするものである。さらに、デュアルＵＩＣＣ３３のこれらの提供された機能は、無線または有線経由で変更することができる。ユーザは、移動通信またはインターネットを介して新たなソフトウエアまたは暗号鍵をダウンロードして、利用可能な機能を拡張することができる。従って、本発明は、従来のＵＩＣＣの設計に制約されることなく付加サービスを提供できるだけでなく、多様なユーザの様々な要望を満たすべく優れた柔軟性を提供することができる。
【００２１】
本発明の別の実施形態を示した図２、図５、および図６を参照されたい。ステップ２０１に示すように、ユーザは同様に第１のサービス・プロバイダからＵＩＣＣ２６ａを受け取る。この好ましい実施形態では、ＵＩＣＣ２６ａのサイズは幾分大きいが、厚さはほぼ同じである。このタイプのＵＩＣＣ２６ａは、ＡＴＭカード、クレジットカード、またはキャッシュカードを備えていて、第１のサービス・プロバイダは、銀行または金融機関とすることができる。この実施形態では、ＵＩＣＣ２６ａは本来、現金を引き出したり支払いをしたりするために利用されるが、その構造は、サイズの違い以外は上記の実施形態のものと同様である。この仕組みの利用方法に関しては、上記の係属中の米国特許出願を参照されたい。
【００２２】
従来のＵＩＣＣ２６ａの機能を大幅に拡張するために、第２のＩＣ３４ａおよびアンテナ４３ａを備えた積層集積回路カードまたは基板３０ａが設けられる。ステップ２０２に示すように、積層集積回路カード３０ａは、上記の同様な処理と同じように、デュアルＵＩＣＣ２６ａを形成するようＵＩＣＣ２６ａに取り付けられる。アンテナ４３ａは、主に非接触の支払い、認証、または無線周波数識別（ＲＦＩＤ）に利用される。
【００２３】
ＵＩＣＣ２６ａがＡＴＭカードで、第１のサービス・プロバイダが銀行である場合、このようなＵＩＣＣ２６ａは、ユーザの銀行口座の情報を保持することができる。ＵＩＣＣ２６ａの第１のコンタクトパッド２５ａは、第２のコンタクトパッド４１ａによって完全にあるいは部分的に覆うことができ、第１のＩＣ２４ａおよび第２のＩＣ３４ａのいずれもＡＴＭに電気的に接続することができる。非接触の支払いを行う前に、ユーザは、ＡＴＭまたはＰＯＳ（販売時点管理）端末を操作することによって銀行口座から一定の金額を指定しなければならず、指定された情報は第２のＩＣ３４ａに保持される。その結果、ユーザは加工されたデュアルＵＩＣＣ３３ａをセンサ近くの場所に置くだけで、支払い処理を迅速に完了させることができる。
【００２４】
あるいは、セキュリティ目的のために、指紋センサ４０をＵＩＣＣに組み込んでもよい。指紋センサ４０は、例えば第１のＵＩＣＣに埋め込んで、第１および第２のＩＣのいずれかに接続してもよいし、あるいはデュアルＵＩＣＣに電気的に接続される外部装置を備えるものであってもよい。図７を参照すると、この例では、指紋センサ４０は、ＵＩＣＣ２６ａ内に形成されている。これらの例は限定的ではなく例示を目的として挙げているに過ぎないことを理解されたい。従って、指紋センサ４０は、ＵＩＣＣ２６ａの任意の適切な場所に形成することができ、取り付けられた積層集積回路カード３０ａを、他の可能な用途にも用いることができる。
【００２５】
さらに、ＵＩＣＣ２６ａまたはデュアルＵＩＣＣ３３ａは、通常、ＡＴＭまたはＰＯＳのスロットに挿入しなければならないため、その厚さが問題となる。厚さを大幅に減少させるために、この実施形態は同様の方法を採用している、すなわち第２のＩＣ３４ａを受けるよう、穿孔機３１ａを使用してＵＩＣＣ２６ａに開口２２ａを設けている。図６から分かるように、第２のＩＣ３４ａはパッケージ３２ａによって保護され、開口２２ａは高い安定性を持つようシェル３２ａに合致したものであることが好ましい。
【００２６】
単一の発行者に関する従来技術と比較して、本発明の利点の一つは、元のスマートカードが、カードを取り外す必要なく本発明による第２のＩＣチップとともに機能できることである。本発明は、非接触の金融サービスまたは取引サービスに適用することができるため、さらに便利なサービスをユーザに提供するための異なる業務の組み合わせを提供することができる。
【００２７】
本発明の別の概念によれば、本発明はセキュリティ面を備えているため、デュアルＩＣチップカードシステムを利用して、現在の電子商取引環境における電子商取引のセキュリティ・レベルを上げることができる。従来技術と比較して、本発明は、以下のような利点を有する。（１）本発明によれば、既存の無線通信インフラを改良したり、携帯機器を改良したりすることなく、個別のサービスを供給するというサービスを提供することができる。（２）第三者サービス・プロバイダにとって、本発明は、携帯電話会社と協力して、従来のＳＩＭアプリケーション・ツールキット（ＳＴＫ）サービスをＳＩＭカードに連帯して供給するための運営およびロジスティックコストを削減する。（３）ハードウエア・セキュリティ（チップ・セキュリティ）が、第三者サービス・プロバイダから直接提供される。
【００２８】
当業者であれば理解できるように、上記の本発明の好ましい実施形態は、本発明を限定するものではなく、本発明を例示するためのものである。添付の請求項の精神および範囲内に含まれる様々な修正および同様の構成を含むことを意図し、請求項の範囲は、それらの修正および同様の構造の全てを網羅するよう最大限広範な解釈が認められるべきである。本発明の好ましい実施形態について上で図示し説明したが、本発明の精神および範囲を逸脱することなく様々な変更をなしうることを理解されたい。
【図面の簡単な説明】
【００２９】
【図１】一実施形態による方法を示すフローチャートである。
【図２】別の実施形態による方法を示すフローチャートである。
【図３】デュアルＵＩＣＣの加工を示す図である。
【図４】本発明によるデュアルＵＩＣＣを示す図である。
【図５】本発明によるデュアルＵＩＣＣの加工を示すための図である。
【図６】本発明のデュアルＵＩＣＣの別の実施形態を示す図である。
【図７】本発明のデュアルＵＩＣＣのさらに別の実施形態を示す図である。
【符号の説明】
【００３０】
２２  開口
２４  第１のＩＣ
２５  第１のコンタクトパッド
２６  ＵＩＣＣ
３０  積層集積回路カード（基板）
３１  穿孔機
３３  デュアルＵＩＣＣ
３４  第２のＩＣ
４１  第２のコンタクトパッド
【図１】
2009522685.tif 000003
【図２】
2009522685.tif 000004
【図３】
2009522685.tif 000005
【図４】
2009522685.tif 000006
【図５】
2009522685.tif 000007
【図６】
2009522685.tif 000008
【図７】
2009522685.tif 000009
【手続補正書】
【提出日】平成20年9月8日(2008.9.8)
【手続補正１】
【補正対象書類名】特許請求の範囲
【補正対象項目名】請求項１３
【補正方法】変更
【補正の内容】
【請求項１３】
前記ＩＣＣがＡＴＭカード、クレジットカード、またはキャッシュカードを備えること、を特徴とする請求項１２に記載の方法。
【手続補正２】
【補正対象書類名】特許請求の範囲
【補正対象項目名】請求項１４
【補正方法】変更
【補正の内容】
【請求項１４】
前記アンテナを介した非接触の支払いを行うために、ＡＴＭまたはＰＯＳ（販売時点管理）端末を使用して、ある金額を口座から指定すること、を特徴とする請求項１２に記載の方法。
【手続補正３】
【補正対象書類名】特許請求の範囲
【補正対象項目名】請求項２０
【補正方法】変更
【補正の内容】
【請求項２０】
前記第２のサービスが無線伝送により提供されること、を特徴とする請求項１９に記載の方法。
【手続補正４】
【補正対象書類名】明細書
【補正対象項目名】０００７
【補正方法】変更
【補正の内容】
【０００７】
上記の問題を解決するために、サービス・プロバイダまたは別の携帯電話会社が、それぞれの秘密鍵を記憶した各スマートカードまたはＳＩＭを発行できるようにするために携帯電話に追加のチップスロットを設けることによって、デュアルチップまたはデュアルスロット機能を備えた特別な携帯電話が導入されてきた。しかしながら、このような特別な電話は一般的に高価であり、ユーザからはあまり受け入れられていないため、サービス・プロバイダが利用できるサブ・マーケット（sub-market）が形成されている（米国特許第６，６２３，３０５号、「デュアルＳＩＭカードコネクタ」を参照）。
【手続補正５】
【補正対象書類名】明細書
【補正対象項目名】００１６
【補正方法】変更
【補正の内容】
【００１６】
図示した実施形態では、積層集積回路カード３０上の第２のコンタクトパッド４１は、第１のコンタクトパッド２５を完全にまたは部分的に覆うものとすることができ、第１のＩＣ２４および第２のＩＣ３４は、いずれも携帯電話に電気的に接続されることができる。その結果、携帯電話は、第１のＩＣと第２のＩＣの両方を利用することができる。本発明のデュアルＵＩＣＣ３３は、個別の機能または共通の機能のいずれかに関与する、２つまたはそれ以上の操作可能なＩＣを内部に有するＵＩＣＣを表している。提供されたこれらの機能は、互いに協働できることが好ましい。
【手続補正６】
【補正対象書類名】明細書
【補正対象項目名】００２２
【補正方法】変更
【補正の内容】
【００２２】
従来のＵＩＣＣ２６ａの機能を大幅に拡張するために、第２のＩＣ３４ａおよびアンテナ４３ａを備えた積層集積回路カードまたは基板３０ａが設けられる。ステップ２０２に示すように、積層集積回路カード３０ａは、上記の同様な処理と同じように、デュアルＵＩＣＣ３３ａを形成するようＵＩＣＣ２６ａに取り付けられる。アンテナ４３ａは、主に非接触の支払い、認証、または無線周波数識別（ＲＦＩＤ）に利用される。
【手続補正７】
【補正対象書類名】図面
【補正対象項目名】図３
【補正方法】変更
【補正の内容】
【図３】
2009522685.tif 000010
【国際調査報告】
2009522685.tif 000011